(57)【要約】      （修正有）【課題】運動した際や、加齢による内股部の臀部のずり下がりを抑制し、快適に着用できる下腿用衣料を提供する。【解決手段】下腹部を覆う前身頃１と股下部を覆うマチ部２と臀部を覆う後身頃３を備え、後身頃の内側縁部３ａ、３ｂがマチ部の両側縁部２ａ、２ｂと縫合され、後身頃の左右下縁４ａ、４ｂ、マチ部下縁４ｄは前身頃の下縁部４ｃに縫合されている。かつ後身頃の内側縁３ａ、３ｂが拡開状に形成されて、マチ部の両側縁部２ａ、２ｂとの間にダーツを設け、足口部６が内股部の臀部のずれ下がりを抑制する。【選択図】図１
0003221433.tif 000002
【実用新案登録請求の範囲】
【請求項１】
前身頃とマチ部、後身頃を備え、前記後身頃が前記マチ部の両側縁部と前身頃の下縁とに縫合されたことを特徴とする下腿用衣料
【請求項２】
前記後身頃の下部内側縁を左右外側方向に拡開状に形成し、前記後身頃の下部内側縁の間に巾狭なマチ部を設けて、該マチ部の後縁と前記後身頃とを縫合するとともに、該マチ部の左右両端縁と前記後身頃の下部内側縁とを縫合することによりダーツ部を形成した請求項１に記載の下腿用衣料
【請求項３】
前記後身頃の下部内側縁を左右外側方向に円弧状に形成した請求項２に記載の下腿用衣料
【請求項４】
前記後身頃の下部内側縁を左右外側方向に拡開する略Ｕ字形状に形成した請求項２に記載の下腿用衣料
【考案の詳細な説明】
【技術分野】
【０００１】  本考案は、下腿用衣料に関する。
【背景技術】
【０００２】  従来、女性の体形を整える機能を有するショーツ等の下腿用衣料が提供されている。ショーツは臀部を包み込むほど生地面積に余裕がないことが多く、臀部全体を包んで臀部のずり下がりを抑制するのは困難である。そこで従来のショーツは、足口の裏側にゴムテープを装着して臀部のずり下がりを抑制していた。
【先行技術文献】
【特許文献】
【０００３】
【特許文献１】特開２００２−３８３０３号公報
【考案の概要】
【考案が解決しようとする課題】
【０００４】  従来の女性用下着はゴムテープによって足口の臀部のずり下がりを抑制できるが、その他の部位のずれ下がりは抑制できない。加齢による臀部のずり下がりは足口のみで起こるものではなく、内股部でも生じている。【０００５】  本考案は上述した問題点に鑑み、内股上部での臀部のずり下がりを抑制可能な下腿用衣料を提供することを目的とする
【課題を解決するための手段】
【０００６】  本考案は前身頃とマチ部、後身頃を備え、前記後身頃が前記マチ部の両側縁部と前身頃の下縁とに縫着されたことを特徴とする下腿用衣料である。【０００７】  また前記後身頃の下部内側縁を左右外側方向に拡開状に形成し、前記後身頃の下部内側縁の間に巾狭なマチ部を設けて、該マチ部の後縁と前記後身頃とを縫合するとともに、該マチ部の左右両端縁と前記後身頃の下部内側縁とを縫合することによりダーツ部を形成したことを特徴とする下腿用衣料である。【０００８】  さらに前記後身頃の下部内側縁を左右外側方向に円弧状に形成したことを特徴とする下腿用衣料である。【０００９】  また前記後身頃の下部内側縁を左右外側方向に拡開する略Ｕ字形状に形成したことを特徴とする下腿用衣料である。
【考案の効果】
【００１０】  本考案によれば、後身頃の下部内側縁を左右外側方向に円弧状に形成し、前記後身頃の下部内側縁の間に巾狭なマチ部を設けて、該マチ部の左右両端縁と前記後身頃の下部内側縁とを縫合することによりダーツ部を形成しているため、内股部での臀部のずり下がりを抑制することが可能で下腿用衣料から臀部がはみ出すことを抑制することができ、アウターボトム等のシルエットを美しく保つことができる。
【図面の簡単な説明】
【００１１】
【図１】は、本実施形態のショーツの展開平面図
【図２】は、本実施形態のショーツの正面図
【図３】は、本実施形態のショーツの背面図
【図４】は、従来のショーツの正面図
【図５】は、従来のショーツの背面図
【図６】は、本実施形態のショーツの一部拡大図
【図７】は、本実施形態のショーツの着用図
【図８】は、本実施形態のショーツの別実施例の展開平面図
【本考案を実施するための形態】
【００１２】  以下に本考案の下腿用衣料について女性用のショーツを例に図面を参照して説明する。図１は本実施形態のショーツの展開平面図である。図２は本実施形態のショーツを示す正面図である。図３は本実施形態のショーツを示す背面図である。図４は従来のショーツを示す正面図である。図５は従来のショーツを示す背面図である。図６は本実態形態のショーツを示す一部拡大図である。図７は本実態形態のショーツを示す着用図である。図８は本実態形態のショーツの別実施例の展開平面図である。
【００１３】  本考案の実施形態は下腹部を覆う前身頃１と股下部を覆うマチ部２と臀部を覆う後身頃３を備え、前記後身頃３の内側縁部３ａ３ｂが前記マチ部２の両側縁部２ａ２ｂと縫合され、かつ後身頃３の左右下縁４ａ４ｂ、マチ部下縁４ｄは前身頃１の下縁部４ｃに縫合されている。
【００１４】  従来のショーツは図４に示すように後身頃９がマチ部８の後側１０に縫着されるが後身頃９がマチ部８の脇側に縫合されることはない。
【００１５】  図６は本実施形態のショーツを着用した股部を示している。マチ部２の側縁２ａ２ｂに後身頃３の内側縁３ａ３ｂが縫着されていることにより臀部を覆う面積が増え内股部の臀部のずれ下がりを抑制することができる。
【００１６】  図１は本実施形態のショーツの展開平面図を示している。後身頃３の下部には円弧状に形成した３ａ３ｂを有する。またマチ部２は前記後身頃の内側縁より巾狭とし、その両端縁２ａ２ｂを形成する。上記２つを縫合することによりダーツを形成する。
【００１７】  図８は本実施形態のショーツの別実施例の展開平面図を示している。後身頃３の下部内側縁３ａ３ｂを左右外側方向に拡開する略Ｕ字状に形成し、マチ部２の両側縁部２ａ２ｂとを縫合することによりダーツを形成する。
【００１８】  また、上記構成の下腿用衣料において、前記前身頃１又は後身頃３の足口部６にギャザーを形成してあってもよい。
【００１９】  また、上記構成の下腿用衣料において、前記前身頃１又は後身頃３の足口側６付近の裏側にパワーネットなどの補強布を配し、臀部のずれ下がりを補整する効果を高めることができる。
【００２０】  また、上記構成の下腿用衣料において、前記後身頃３とマチ部２とが縫合５されているが、これらは一体形成されるものであってもよい。
【符号の説明】
【００２１】  １    本実施形態の前身頃
２    本実施形態のマチ部
２ａ  本実施形態のマチ部の左側端縁
２ｂ  本実施形態のマチ部の右側端縁
３    本実施形態の後身頃
３ａ  本実施形態の後身頃の左側内側縁
３ｂ  本実施形態の後身頃の右側内側縁
４ａ  本実施形態の後身頃左側下縁
４ｂ  本実施形態の後身頃右側下縁
４ｃ  本実施形態の前身頃下縁
４ｄ  本実施形態のマチ部下縁
５    本実施形態の後身頃とマチ部後縁との縫合部
６    本実施形態の足口部
７    従来の前身頃
８    従来のマチ部
９    従来の後身頃
１０  従来の後身頃とマチ部後縁との縫合部
１１  従来の足口部
【図１】
0003221433.tif 000003
【図２】
0003221433.tif 000004
【図３】
0003221433.tif 000005
【図４】
0003221433.tif 000006
【図５】
0003221433.tif 000007
【図６】
0003221433.tif 000008
【図７】
0003221433.tif 000009
【図８】
0003221433.tif 000010